(57)【特許請求の範囲】
【請求項１】
外箱と、
上記外箱内に配置された水槽と、
上記水槽内に回転可能に配置され、洗濯物を収容する回転槽と、
上記回転槽を回転駆動する駆動装置と
を備え、
上記外箱は、
上記水槽上に配置された上面パネルと、
ユーザが操作する操作部が外面に設けられると共に、上記操作部が上記上面パネルよりも前側に位置するように配置されて、後端部が上記上面パネルの前端部下に位置する操作パネルと、
上記操作パネルの内面に取り付けられた制御装置と
を有し、
上記操作パネルの後端部には、鉛直方向に開口する挿通穴が少なくとも１つ設けられ、
上記上面パネルの前端部には、上記挿通穴内に挿通される挿通部が少なくとも１つ設けられており、
上記操作パネルの後端部は、
上記操作パネルの外面の後端から上記外箱の後部側に向かって斜め下方に延在する第１部分と、
前端部が上記第１部分に連なると共に、延在方向が上記第１部分の延在方向と交差する第２部分と、
上記外箱の左右方向において上記第２部分に隣り合うように設けられ、上記挿通穴を上部に有し、上側に向かって膨出する膨出部と
を含み、
上記制御装置が配置されている空間と、上記膨出部の後側に設けられた空間とが、上記膨出部の後側の開口を介して連通することを特徴とする洗濯機。
【請求項２】
請求項１に記載の洗濯機において、
上記上面パネルの前端が上記操作パネルに当接することを特徴とする洗濯機。
【請求項３】
請求項１または２に記載の洗濯機において、
上記挿通部の先端部が上記挿通穴の周縁部に係止することを特徴とする洗濯機。
【発明の詳細な説明】
【技術分野】
【０００１】
この発明は、いわゆる縦型洗濯機または横型洗濯機などの洗濯機に関する。
【背景技術】
【０００２】
従来、洗濯機としては、特開平２−２４３１９５号公報(特許文献１)に開示されているように、外箱の上部を構成するための上面パネルの前部に操作パネルが取り付けられたものがある。
【０００３】
ところで、上記従来の洗濯機では、操作パネルの内面には制御装置が取り付けられるため、上面パネルと操作パネルの間から外箱内に水が入ったとき、その水が制御装置側とは反対側に向かって流れるようにするのが好ましい。
【０００４】
例えば、図１２,図１３に示すように、操作パネル１００１の斜め下方に向かって延びる後端部１００２を、上面パネル１００４の前端部１００５下に配置すると、上面パネル１００４と操作パネル１００１の間からの外箱１０００内に入った水を制御装置１００７側とは反対側に流すことができる。
【０００５】
このような洗濯機では、上面パネル１００４の前端部１００５に設けたフック部１００６を、操作パネル１００１の後端部１００２に設けたリブ１００３の段部に係止させているので、操作パネル１００１に対して上面パネル１００４が上側に移動するのを防ぐこともできる。
【先行技術文献】
【特許文献】
【０００６】
【特許文献１】特開平２−２４３１９５号公報
【発明の概要】
【発明が解決しようとする課題】
【０００７】
しかしながら、図１２,図１３の洗濯機では、フック部１００６の形状を、先端部が前側に屈曲するような形状にしているため、反り、ねじれ、収縮などが上面パネル１００４に生じると、操作パネル１００１の後端部１００２に対して上面パネル１００４の前端部１００５が後側に移動する。その結果、上面パネル１００４と操作パネル１００１の間に隙間ができて、外箱１０００の美観が低下するという問題が起きてしまう。
【０００８】
また、反り、ねじれ、収縮などが操作パネル１００１に生じることにより、上面パネル１００４に対して操作パネル１００１が前側に移動しても、上記問題が起きてしまう。
【０００９】
そこで、この発明の課題は、外箱の美観を高いレベルで維持できる洗濯機を提供することにある。
【００１０】
なお、図１２,図１３の洗濯機は、この発明の課題を判り易くするために挙げたものであり、特許文献１に記載されたものではない。
【課題を解決するための手段】
【００１１】
上記課題を解決するため、この発明の洗濯機は、
外箱と、
上記外箱内に配置された水槽と、
上記水槽内に回転可能に配置され、洗濯物を収容する回転槽と、
上記回転槽を回転駆動する駆動装置と
を備え、
上記外箱は、
上記水槽上に配置された上面パネルと、
ユーザが操作する操作部が外面に設けられると共に、上記操作部が上記上面パネルよりも前側に位置するように配置されて、後端部が上記上面パネルの前端部下に位置する操作パネルと、
上記操作パネルの内面に取り付けられた制御装置と
を有し、
上記操作パネルの後端部には、鉛直方向に開口する挿通穴が少なくとも１つ設けられ、
上記上面パネルの前端部には、上記挿通穴内に挿通される挿通部が少なくとも１つ設けられており、
上記操作パネルの後端部は、
上記操作パネルの外面の後端から上記外箱の後部側に向かって斜め下方に延在する第１部分と、
前端部が上記第１部分に連なると共に、延在方向が上記第１部分の延在方向と交差する第２部分と、
上記外箱の左右方向において上記第２部分に隣り合うように設けられ、上記挿通穴を上部に有し、上側に向かって膨出する膨出部と
を含み、
上記制御装置が配置されている空間と、上記膨出部の後側に設けられた空間とが、上記膨出部の後側の開口を介して連通することを特徴としている。
【００１２】
【００１３】
【００１４】
一実施形態の洗濯機では、
上記上面パネルの前端が上記操作パネルに当接する。
【００１５】
一実施形態の洗濯機では、
上記挿通部の先端部が上記挿通穴の周縁部に係止する。
【発明の効果】
【００１６】
この発明の洗濯機によれば、外箱は、水槽上に配置された上面パネルと、ユーザが操作する操作部が外面に設けられると共に、上記操作部が上面パネルよりも前側に位置するように配置されて、後端部が上面パネルの前端部下に位置する操作パネルとを有する。この上面パネルの前端部と操作パネルの後端部との一方には、鉛直方向に開口する挿通穴が少なくとも１つ設けられている。また、上記上面パネルの前端部と操作パネルの後端部との他方には、挿通穴内に挿通される挿通部が少なくとも１つ設けられている。したがって、反り、ねじれ、収縮などが上面パネルや操作パネルに生じた場合、挿通部が挿通穴の内周面に当接するので、操作パネルの後端部に対する上面パネルの前端部の後側への移動を防ぐことができると共に、上面パネルの前端部に対する操作パネルの後端部の前側への移動も防ぐことができる。その結果、上記上面パネルと操作パネルの間の隙間が大きくならないようにすることができるので、外箱の美観を高いレベルで維持できる。
【図面の簡単な説明】
【００１７】
【図１】この発明の第１実施形態のドラム式洗濯乾燥機の外観を示す斜視図である。
【図２】上記ドラム式洗濯乾燥機の乾燥機能に関する概略構成の模式図である。
【図３】上記ドラム式洗濯乾燥機の操作パネルおよび周辺部の概略断面図である。
【図４】上記ドラム式洗濯乾燥機の上面パネルの概略下方斜視図である。
【図５】上記上面パネルの概略下面図である。
【図６】図５のVI−VI線矢視の概略断面図である。
【図７】上記操作パネルの概略斜視図である。
【図８】上記操作パネル１０２の概略正面図である。
【図９】図８のIX−IX線矢視の概略断面図である。
【図１０】図８のＸ−Ｘ線矢視の概略断面図である。
【図１１】図３の一部の概略拡大図である。
【図１２】参考例の洗濯機の要部の概略断面図である。
【図１３】図１２の一部の概略拡大図である。
【発明を実施するための形態】
【００１８】
以下、この発明の洗濯機を図示の実施の形態により詳細に説明する。
【００１９】
〔第１実施形態〕
図１はこの発明の第１実施形態の洗濯機の一例としてのドラム式洗濯乾燥機の外観を示す斜視図である。
【００２０】
上記ドラム式洗濯乾燥機は、外郭を成す外箱１を備える。この外箱１は、上面パネル１０１と、操作パネル１０２と、前面パネル１０３と、後面パネル１０４と、一対の側面パネル１０５(一対の側面パネル１０５のうちの一方だけを図示する)と、底台１０６とで構成されている。
【００２１】
上記前面パネル１０３には、洗濯物が通過する開口部１Ａが設けられている。また、前面パネル１０３には扉２１が回動可能に取り付けられており、開口部１Ａは扉２１で開閉される。
【００２２】
上記操作パネル１０２は、開口部１Ａ上に位置するように前面パネル１０３に取り付けられている。すなわち、操作パネル１０２は外箱１の前側上部に位置する。
【００２３】
また、上記操作パネル１０２の側方には、洗剤、漂白剤及び柔軟剤を収容可能な洗濯剤ケース５０が設けられている。
【００２４】
図２は、上記ドラム式洗濯乾燥機の乾燥機能に関する概略構成を模式的に示す図である。
【００２５】
上記ドラム式洗濯乾燥機は、外箱１内に配置された水槽２と、この水槽２内に回転可能に配置されて、洗濯物５を収容するドラム３と、このドラム３を回転駆動するモータ４と、このモータ４を制御する制御装置６０とを備えている。このドラム３の回転軸Ｊは、前側が後側よりも高くなるように、水平方向に対して傾斜している。また、水槽２およびドラム３は、それぞれ、扉２１側に向かって開口しており、扉２１を開くことで、ドラム３内に洗濯物を入れたり、ドラム３内から洗濯物を出したりすることが可能である。また、扉２１を閉じることで、水槽２内の気体および液体が前面パネル１０３の開口部１Ａを介して外箱１に漏れ出ないようになる。すなわち、扉２１の閉鎖により、水槽２の水密および気密を保つことが可能である。なお、回転軸Ｊは、水平方向に対して略平行であってもよい。また、ドラムは回転槽の一例である。また、モータは駆動装置の一例である。
【００２６】
また、上記水槽２の上方には、外箱１の上部を形成する上面パネル１０１が配置されている。また、水槽２の前方には、外箱１の前部の大部分を形成する前面パネル１０３が配置されている。
【００２７】
また、上記外箱１内の上側空間の後部には、フィルタ装置３０を着脱可能に収納するフィルタ装置収納部４０が配置されている。このフィルタ装置収納部４０の吸気口４０Ａは、第１空気循環ダクト２３を介して水槽２の排気口２２に接続されている。また、フィルタ装置収納部４０の排気口４０Ｂは、第２空気循環ダクト２４を介してヒートポンプユニット１３に接続されている。このヒートポンプユニット１３は、外箱１内の下側空間の後部に配置されている。また、ヒートポンプユニット１３は、送風ダクト２６を介して水槽２の吸気口２５に接続されている。この送風ダクト２６のヒートポンプユニット１３側の部分には循環ファン１１が設けられている。
【００２８】
また、上記ドラム３の周壁部３Ａには、水槽２とドラム３の間の空間と、ドラム３内の空間との間で、液体および気体の流通を可能にするための複数の貫通孔(図示せず)が形成されている。また、ドラム３の底部３Ｂには水槽２の吸気口２５に連通する複数の空気導入孔(図示せず)が形成されている。これにより、ヒートポンプユニット１３から送風ダクト２６を経て供給される乾燥した加熱空気は、矢印Ｙで示すように、吸気口２５からドラム３内に導入される。
【００２９】
また、上記加熱空気はドラム３内に収容された洗濯物５から水分を奪って吸湿空気となる。この吸湿空気は、矢印Ｚで示すように、ドラム３の周壁部３Ａの貫通孔から、ドラム３と水槽２の間の空間に抜けた後、水槽２の排気口２２から第１空気循環ダクト２３を介してフィルタ装置収納部４０に排気され、このフィルタ装置収納部４０から第２空気循環ダクト２４を通ってヒートポンプユニット１３に導入される。このとき、フィルタ装置３０が吸湿空気に含まれる糸くず等を捕獲する。すなわち、上記吸湿空気から糸くず等が分離されてフィルタ装置３０に残る。
【００３０】
上記ヒートポンプユニット１３は、蒸発器１０、圧縮機７、凝縮器８および膨張弁９を有する。この蒸発器１０、圧縮機７、凝縮器８、膨張弁９および冷媒配管１４が冷媒回路を構成し、圧縮機７で圧縮された冷媒が凝縮器８、膨張弁９および蒸発器１０をこの順で流れる。また、圧縮機７と凝縮器８の間の冷媒配管１４には、ヒートポンプユニット１３の状態を検知するための温度センサ１６が取り付けられている。
【００３１】
上記制御装置６０は、制御用コンピュータ等で構成されており、温度センサ１６で測定された冷媒温度に応じて、圧縮機７の能力を制御する。また、制御装置６０は、必要に応じて膨張弁９の制御を行う。
【００３２】
図３は、操作パネル１０２および周辺部を回転軸Ｊに平行な鉛直面で切った概略断面図である。
【００３３】
上記操作パネル１０２は、操作部１２５(図７,図８に示す)が上面パネル１０１よりも前側に位置するように配置されて、後端部１２１が上面パネル１０１の前端部１１１よりも下側に位置する。この操作パネル１０２の内面には制御装置６０が取り付けられている。また、操作パネル１０２は、前面パネル１０３の上部に設けられた開口１３１を塞ぐように、前面パネル１０３に取り付けられて、開口１３１の周縁部によって支持される。
【００３４】
また、上記開口１３１の周縁部のうちの後部、つまり、前面パネル１０３の後端部１３２は、上面パネル１０１で覆われる。この前面パネル１０３の後端部１３２には、操作パネル１０２の後端が当接する段部が設けられている。
【００３５】
また、上記操作パネル１０２において上面パネル１０１よりも前側に位置する部分の後端に対して、上面パネル１０１の前端が当接する。
【００３６】
図４は、上面パネル１０１を後側の斜め下方から見た概略斜視図である。また、図５は上面パネル１０１の概略下面図である。また、図６は、図５のVI−VI線から見た概略断面図である。
【００３７】
上記上面パネル１０１の前端部１１１には、図４〜図６に示すように、前端部１１１の下面から下方に向かって突出するフック部１１２が複数設けられている。各フック部１１２は、上面パネル１０１の前端の円弧状の部分近傍に配置されており、先端部が後側に屈曲するような形状を呈する。また、複数のフック部１１２は、円弧状の仮想線Ｘ１に沿うように並んでいる。また、複数のフック部１１２は、例えば樹脂を用いて、上面パネル１０１と一体に設けられて、弾性を有している。なお、フック部１１２は挿通部の一例である。また、仮想線Ｘ１は第２仮想線の一例である。
【００３８】
また、上記上面パネル１０１の後端部１１３は、水道の蛇口が外箱１と接触しないように、上面パネル１０１の他の部分よりも低くなるように形成されている。
【００３９】
また、上記上面パネル１０１の前端部１１１と後端部１１３の間の部分には、フィルタ装置収納部４０に対向する開口１１４が設けられている。この開口１１４は、フィルタ装置収納部４０にフィルタ装置３０を収納すると、フィルタ装置３０の一部で塞がれる。
【００４０】
図７は操作パネル１０２の概略斜視図である。また、図８は操作パネル１０２の概略正面図である。
【００４１】
上記操作パネル１０２の外面には、図７,図８に示すように、電源入りキー１２２、電源切りキー１２３、スタート一時停止キー１２４などを含む操作部１２５が設けられている。ユーザは、操作部１２５を操作することにより、洗濯物５を処理するためのコースを選択する。また、操作パネル１０２の外面には、コースの実行中にコースの残り時間などが表示されるようになっている。
【００４２】
また、上記操作パネル１０２の後端部１２１には上側に向かって膨出する膨出部１２６が複数設けられている。各膨出部１２６の上部には、フック部１１２が挿通される挿通穴１２７が設けられている。この複数の挿通穴１２７は、仮想線Ｘ１とは曲率半径が異なる円弧状の仮想線Ｘ２に沿うように並んでいる。また、各挿通穴１２７は、鉛直方向に開口し、上方から見た形状が略矩形状になっている。なお、仮想線Ｘ２は第１仮想線の一例である。
【００４３】
また、上記操作パネル１０２の後端部１２１において、膨出部１２６に隣接する部分は、前面パネル１０３の後端部１３２の上面に密接するようになっている。この部分は、上面パネル１０１と操作パネル１０２の間から外箱１内に水が入ったとき、その水を前面パネル１０３の後端部１３２上へ案内する。
【００４４】
図９は、図８のIX−IX線から見た概略断面図である。また、図９は、図８のＸ−Ｘ線から見た概略断面図である。
【００４５】
上記各膨出部１２６は、図９,図１０に示すように、前側、右側および左側が壁になっており、後側が開口している。この開口は、制御装置６０で温度が上がった空気を排出する。これにより、前面パネル１０３の後端部１３２上の水は蒸発させることができるようになっている。
【００４６】
図１１は、図３の一部を拡大した概略図である。
【００４７】
上記各挿通穴１２７の周面の前部は、上端が下端よりも前側に位置するように、鉛直方向に対して傾斜している。また、各挿通穴１２７の周面の後部は鉛直方向と略平行になっている。すなわち、各挿通穴１２７は、上側から下側に向かって先細り形状となるように形成されている。
【００４８】
また、上記挿通穴１２７にフック部１１２を挿通すると、フック部１１２の先端部が挿通穴１２７の周縁部の後部に係止する。このとき、フック部１１２と挿通穴１２７の周面の前部との間、および、フック部１１２と挿通穴１２７の周面の後部との間には、それぞれ、隙間が生じる。
【００４９】
上記構成のドラム式洗濯乾燥機によれば、反り、ねじれ、収縮などが上面パネル１０１に生じた場合、フック部１１２が挿通穴１２７の内周面の後部に当接するので、操作パネル１０２の後端部１２１に対して上面パネル１０１の前端部１１１が後側に移動するのを防ぐことができる。
【００５０】
また、反り、ねじれ、収縮などが操作パネル１０２に生じた場合、フック部１１２が挿通穴１２７の内周面の後部に当接するので、上面パネル１０１の前端部１１１に対して操作パネル１０２の後端部１２１が前側へ移動するのを防ぐことができる。
【００５１】
したがって、上記上面パネル１０１と操作パネル１０２の間の隙間が大きくならないようにすることができるので、外箱１の美観を高いレベルで維持できる。
【００５２】
また、上記上面パネル１０１の前端部１１１にフック部１１２を設ける一方、操作パネル１０２の後端部１２１に挿通穴１２７を設けているので、挿通穴１２７に上方からフック部１１２を容易に挿通することができる。
【００５３】
また、上記上面パネル１０１と操作パネル１０２の間から外箱１内に水が入った場合、挿通穴１２７は膨出部１２６の上部に設けられているので、水が挿通穴１２７を通過し難くなる。したがって、挿通穴１２７を通過した水が制御装置６０に付着することで生じる故障を防ぐことができる。
【００５４】
また、上記操作パネル１０２において上面パネル１０１よりも前側に位置する部分の後端に対して、上面パネル１０１の前端が当接するので、操作パネル１０２の後端部１２１に対する上面パネル１０１の前端部１１１の前側への移動を防ぐ効果と、上面パネル１０１の前端部１１１に対する操作パネル１０２の後端部１２１の後側への移動を防ぐ効果とを高めることができる。
【００５５】
また、上記複数のフック部１１２は、円弧状の仮想線Ｘ１に沿うように並んでいる一方、複数の挿通穴１２７は、仮想線Ｘ１とは曲率半径が異なる円弧状の仮想線Ｘ２に沿うように並んでいるので、複数の挿通穴１２７へ複数のフック部１１２を挿通したとき、少なくとも１つのフック部１１２を少なくとも１つの挿通穴１２７の内周面に強く押し付けることができる。したがって、上面パネル１０１および操作パネル１０２のガタツキを低減することができる。
【００５６】
また、上記フック部１１２の先端部が挿通穴１２７の周縁部に係止するので、上面パネル１０１と操作パネル１０２の間の鉛直方向の相対移動を規制することができる。したがって、上面パネル１０１の前端が操作パネル１０２に当接する箇所において、段差が大きくなるのを防ぐことができる。
【００５７】
また、上記フック部１１２と挿通穴１２７の周面の前部との間、および、フック部１１２と挿通穴１２７の周面の後部との間において、それぞれ、隙間が生じるようにするので、フック部１１２および挿通穴１２７の製造ばらつきを許容して、挿通穴１２７にフック部１１２を確実に挿通させることができる。
【００５８】
上記第１実施形態では、洗濯物５を乾燥させる機能を有するドラム式洗濯乾燥機にこの発明を適用していたが、洗濯物５を乾燥させる機能を有さないドラム式洗濯機にこの発明を適用してもよい。
【００５９】
上記第１実施形態では、ドラム式洗濯乾燥機にこの発明を用いていたが、いわゆる縦型洗濯機にこの発明を適用してもよい。
【００６０】
上記第１実施形態において、挿通穴１２７に挿通されるが、先端部が挿通穴１２７の周縁部に係止しない突起部を、フック部１１２の換わりに用いてもよい。
【００６１】
上記第１実施形態では、上面パネル１０１の前端部１１１にフック部１１２を複数設けていたが、上面パネル１０１の前端部１１１にフック部１１２を１つだけ設けるようにしてもよい。このようにする場合、膨出部１２６の数は複数にしてもよいし、１つにしてもよい。
【００６２】
上記第１実施形態では、ドラム３の回転軸Ｊは、前側が後側よりも高くなるように、水平方向に対して傾斜していたが、水平方向に対して略平行になるようにしてもよい。
【００６３】
上記第１実施形態では、各挿通穴１２７は、上方から見た形状が略矩形状になっていたが、略円形状、略楕円形状などの形状にしてもよい。
【００６４】
〔第２実施形態〕
上記第１実施形態では、上面パネル１０１の前端部１１１にフック部１１２を設け、かつ、操作パネル１０２の後端部１２１に挿通穴１２７を設けていたが、この発明の第２実施形態では、上面パネル１０１の前端部１１１に挿通穴１２７を設け、かつ、操作パネル１０２の後端部１２１にフック部１１２を設けるようにしている。
【００６５】
〔第３実施形態〕
上記第１実施形態では、フック部１１２と挿通穴１２７の周面の後部との間に隙間が生じるようにしたが、この発明の第３実施形態では、フック部１１２と挿通穴１２７の周面の後部との間に隙間が生じないようにしている。すなわち、挿通穴１２７にフック部１１２を挿通すると、フック部１１２が挿通穴１２７の周面の後部に当接するようになっている。
【００６６】
この発明の具体的な実施形態について説明したが、この発明は第１〜３実施形態に限定されるものではなく、この発明の範囲内で種々変更して実施することができる。例えば、第１〜３実施形態で記載した内容を適宜組み合わせたものをこの発明の一実施形態としてもよい。
【００６７】
すなわち、この発明および実施形態を纏めると、次のようになる。
【００６８】
この発明の洗濯機は、
外箱１と、
上記外箱１内に配置された水槽２と、
上記水槽２内に回転可能に配置され、洗濯物を収容する回転槽３と、
上記回転槽３を回転駆動する駆動装置４と
を備え、
上記外箱１は、
上記水槽２上に配置された上面パネル１０１と、
ユーザが操作する操作部１２５が外面に設けられると共に、上記操作部１２５が上記上面パネル１０１よりも前側に位置するように配置されて、後端部１２１が上記上面パネル１０１の前端部１１１下に位置する操作パネル１０２と
を有し、
上記上面パネル１０１の前端部１１１と上記操作パネル１０２の後端部１２１との一方には、鉛直方向に開口する挿通穴１２７が少なくとも１つ設けられ、
上記上面パネル１０１の前端部１１１と上記操作パネル１０２の後端部１２１との他方には、上記挿通穴１２７内に挿通される挿通部１１２が少なくとも１つ設けられていることを特徴としている。
【００６９】
上記構成によれば、上記上面パネル１０１の前端部１１１と操作パネル１０２の後端部１２１との一方には、鉛直方向に開口する挿通穴１２７が設けられている。また、上記上面パネル１０１の前端部１１１と操作パネル１０２の後端部１２１との他方には、挿通穴１２７内に挿通される挿通部１１２が少なくとも１つ設けられている。これにより、反り、ねじれ、収縮などが上面パネル１０１に生じた場合、挿通部１１２が挿通穴１２７の内周面に当接するので、操作パネル１０２の後端部１２１に対する上面パネル１０１の前端部１１１の後側への移動を防ぐことができる。
【００７０】
また、反り、ねじれ、収縮などが操作パネル１０２に生じた場合、挿通部１１２が挿通穴１２７の内周面に当接するので、上面パネル１０１の前端部１１１に対する操作パネル１０２の後端部１２１の前側への移動も防ぐこともできる。
【００７１】
したがって、上記上面パネル１０１と操作パネル１０２の間の隙間が大きくならないようにすることができるので、外箱１の美観を高いレベルで維持できる。
【００７２】
一実施形態の洗濯機では、
上記操作パネル１０２の後端部１２１には、上記挿通穴１２７が少なくとも１つ設けられ、
上記上面パネル１０１の前端部１１１には、上記挿通部１１２が少なくとも１つ設けられている。
【００７３】
上記実施形態によれば、上記挿通穴１２７への挿通部１１２の挿通を上方から容易に行うことができる。
【００７４】
一実施形態の洗濯機では、
上記操作パネル１０２の内面に取り付けられた制御装置６０を備え、
上記操作パネル１０２の後端部１２１には上側に向かって膨出する膨出部１２６が設けられ、
上記挿通穴１２７は上記膨出部１２６の上部に設けられる。
【００７５】
上記実施形態によれば、上記上面パネル１０１と操作パネル１０２の間から外箱１内に水が入った場合、挿通穴１２７は上記膨出部１２６の上部に設けられているので、水が挿通穴１２７を介して制御装置６０側へ向かうのを防ぐことができる。
【００７６】
一実施形態の洗濯機では、
上記上面パネル１０１の前端が上記操作パネル１０２に当接することを特徴とする洗濯機。
【００７７】
上記実施形態によれば、上記上面パネル１０１の前端が上記操作パネル１０２に当接するので、上面パネル１０１の前端部１１１の後側の移動の防止効果と、操作パネル１０２の後端部１２１の前側の移動の防止効果とを高めることができる。
【００７８】
一実施形態の洗濯機では、
上記挿通穴１２７および挿通部１１２は、それぞれ、複数あり、
上記複数の挿通穴１２７は、円弧状の第１仮想線Ｘ２に沿って並び、
上記複数の挿通部１１２は、上記第１仮想線Ｘ２とは曲率半径が異なる円弧状の第２仮想線Ｘ１に沿って並ぶ。
【００７９】
上記実施形態によれば、上記複数の挿通穴１２７は、円弧状の第１仮想線Ｘ２に沿って並ぶ一方、複数の挿通部１１２は、第１仮想線Ｘ２とは曲率半径が異なる円弧状の第２仮想線Ｘ１に沿って並ぶ。これにより、上記複数の挿通穴１２７へ複数の挿通部１１２を挿通したとき、少なくとも１つの挿通部１１２を少なくとも１つの挿通穴１２７の内周面に強く押し付けることができる。したがって、上記上面パネル１０１および操作パネル１０２のガタツキを低減することができる。
【００８０】
一実施形態の洗濯機では、
上記挿通部１１２の先端部が上記挿通穴１２７の周縁部に係止する。
【００８１】
上記実施形態によれば、上記挿通部１１２の先端部が挿通穴１２７の周縁部に係止するので、上面パネル１０１と操作パネル１０２の間の鉛直方向の相対移動を規制することができる。したがって、上面パネル１０１と操作パネル１０２の間の段差が大きくなるのを防ぐことができる。
【符号の説明】
【００８２】
１  外箱
６０  制御装置
１０１  上面パネル
１０２  操作パネル
１１１  前端部
１１２  フック部
１２１  後端部
１２７  挿通穴
Ｘ１,Ｘ２  仮想線
【図１】
0006389705.tif 000002
【図２】
0006389705.tif 000003
【図３】
0006389705.tif 000004
【図４】
0006389705.tif 000005
【図５】
0006389705.tif 000006
【図６】
0006389705.tif 000007
【図７】
0006389705.tif 000008
【図８】
0006389705.tif 000009
【図９】
0006389705.tif 000010
【図１０】
0006389705.tif 000011
【図１１】
0006389705.tif 000012
【図１２】
0006389705.tif 000013
【図１３】
0006389705.tif 000014